(57)【特許請求の範囲】
【請求項１】
上部デッキボードと下部デッキボードとを桁を介して連結してなる合成樹脂パレットにおいて、上部デッキボードの外周端縁に上部デッキボードの上面よりも低い拡張部を設け、前記拡張部の外周端縁に上部デッキボードの上面よりも高い外側壁を立設することによって前記外側壁の内側に溝を形成し、前記溝の適所に１または複数の水抜き孔を形成してなり、前記外側壁は下部デッキボードの下面の外周端縁よりも外側に突出していることを特徴とする合成樹脂製パレット。
【請求項２】
前記溝は、上部デッキボードの外周端縁部を段落し、この段落からさらに外側方向に拡張した拡張部を設け、前記拡張部に外側壁を立設することによって形成されていることを特徴とする請求項１記載の合成樹脂製パレット。
【請求項３】
前記上部デッキボードのコーナー部では、外側壁を切り欠くとともに、上面を前記溝の底面と同じ高さかまたは溝よりも低く形成した突出部を設け、溝を上部デッキボードのコーナー部を除いて形成したことを特徴とする請求項１または請求項２に記載の合成樹脂製パレット。
【発明の詳細な説明】
【０００１】
【発明の属する技術分野】
この発明は、荷物を保管、運搬する際に使用するフォークリフト用の合成樹脂製パレットに関する。
【０００２】
【従来の技術】
近年、荷物の保管、運搬用のパレットの多くは、木製パレットに代わり耐水性、耐腐食性に優れている合成樹脂製パレットが使用されている。合成樹脂製パレットはその性質上、滑りやすいという問題がある。即ち、パレットにおける滑りの問題は、載置した荷物との間及び積み重ねたパレット同士の間に発生する。パレットに載置した荷物が滑って荷くずれを起こしたり、使用しないパレットを積み重ねておいた場合にも荷くずれを起こす危険がある。
【０００３】
そこで、載置した荷物の横ずれを防止するために、パレットの上面周縁に枠体を突設したものが知られている。例えば、実公平５−４４２８１号公報及び実開平６ー７６０５４号公報記載のパレットがある。実公平５−４４２８１号公報記載のパレットは、「アッパデッキの上部外周縁に上面の面積を拡大する突出部を一体に形成するとともに、上記突出部の上端に枠体を立設し、更に該枠体の各コーナー部に周方向へ沿って切欠部を形成した」ものである。一方、実開平６−７６０５４号公報記載パレットは、「パレットの上面部の外周端縁部より少し内側に引き込んだ位置に上面部の外周端縁部に沿って提突部を突設し、パレットの下面部の外周部を全長にわたり段落して下段のパレットの上面部の提突部内に囲まれた部分にはめ込まれる載置はめ込み部とした」ものである。
【０００４】
【発明が解決しようとする課題】
上記パレットは載置物の横滑りを防止することができるものの、次のような問題がある。一般にパレットは、載置した荷物を安全に保管、運搬することができるとともに、雨水等による汚染の防止が求められる。ところが、上記パレットのように上面部周縁に枠体を突設すると、外周部に位置する積載物の外側面を伝った雨水等は枠体のために排水されることがないから、パレットの上面部、即ちパレットと積載物の間へ浸透していき、積載物の下面を汚染することになる。
【０００５】
また、屋外でパレット同士を積み重ねて保管した場合にも、パレット上面の外周縁に突設した枠体の外側面を伝った雨水等は下段のパレットの枠体のために排水されることがないから、上段のパレットの下面と下段のパレットの上面との間に浸透していき容易に蒸発しない。このように、パレットが濡れた状態にあるときは、上段のパレットを持ち上げて引き出そうとしても、水分が両者を密着させているために取り出しが困難な場合がある。また、パレット上面が濡れたままで荷物を載置することは積載した荷物を汚染するおそれがあるばかりでなく、衛生上も好ましくない。
【０００６】
【課題を解決するための手段】
この発明は上記目的を達成するために次のような構成とした。即ち、この発明に係る合成樹脂製パレットは、上部デッキボードと下部デッキボードとを桁を介して連結してなる合成樹脂パレットにおいて、上部デッキボードの外周端縁に上部デッキボードの上面よりも低い拡張部を設け、前記拡張部の外周端縁に上部デッキボードの上面よりも高い外側壁を立設することによって前記外側壁の内側に溝を形成し、前記溝の適所に１または複数の水抜き孔を形成してなり、前記外側壁は下部デッキボードの下面の外周端縁よりも外側に突出していることを特徴とする。
前記溝は、上部デッキボードの外周端縁部を段落し、この段落からさらに外側方向に拡張した拡張部を設け、前記拡張部に外側壁を立設することによって形成してもよい。また、前記上部デッキボードのコーナー部では、外側壁を切り欠くとともに、上面を前記溝の底面と同じ高さかまたは溝よりも低く形成した突出部を設け、溝を上部デッキボードのコーナー部を除いて形成してもよい。
【０００７】
【発明の実施の形態】
以下に、図示する実施形態について詳細に説明する。合成樹脂製パレット１０は四方差しパレットであって、桁１１の略中間の分割線１３から予め別途分割成形した上部成形部材１５と下部成形部材１７との２つの部品をその分割面を突き合わせ溶着することによって一体的に形成されている。前記上部成形部材１５は上部デッキボード１５ａと桁部１１ａとからなり、下部成形部材１７は下部デッキボード１７ａと桁部１１ｂとからなる。パレット１０は、前記桁部１１ａと桁部１１ｂの端面を突き合わせ溶着することによって成形される。
【０００８】
前記桁１１を構成する桁部１１ａと桁部１１ｂとは、側面が閉じた中空構造体であり、前記桁１１と上部デッキボード１５ａ、下部デッキボード１７ａで囲まれた空間をフォーク差込口１９としている。パレット１０の上部デッキボード１５ａは、平滑板２０と補強リブ２１からなり、外周面は側板２２によって閉じられており、また、下部デッキボード１７ａは平滑板２３と補強リブ２５からなり、外周面は側板２６によって閉じられている。
【０００９】
前記上部デッキボード１５ａの外周端縁部にはコーナー部を除いて溝３０が形成されており、前記溝３０を構成する外側壁３１の高さは前記上部デッキボード１５ａの上面よりも上方に突出している。前記溝３０は上部デッキボード１５ａの上面から段落することによって形成されているから、溝３０の底面は上部デッキボード１５ａの上面よりも当然低い。また、前記外側壁３１は下部成形部材１７の下面の外周端縁よりも外側に突出していて、パレット同士を積み重ねたとき下部成形部材１７の下面が前記外側壁３１内に嵌合するように形成されている。
【００１０】
前記溝３０は、上部デッキボード１５ａの外周端縁部を段落し、この段落からさらに外側方向に連続して拡張した拡張部３３を設け、前記拡張部３３に外側壁３１を立設することによって形成してもよいし、上部デッキボード１５ａの外周端縁部に上部デッキボード１５ａの上面よりも低い拡張部３５を設け、前記拡張部３５に外側壁３１を立設することによって形成してもよい。前記拡張部３３、３５の下面には略三角形補強リブ３７が適宜の間隔で設けられている。また、前記拡張部３３、３５には、適宜の間隔で水抜き孔３９を穿設してもよい。
【００１１】
上部デッキボード１５ａのコーナー部には、上面を溝３０の底面と同じ高さかまたは溝３０の底面よりも低くし、上部デッキボード１５ａの端面より突出した突出部４０が設けられている。前記突出部４０は、角部を円弧状に形成されており、前記拡張部３３、３５をコーナー部に延長することによって形成することができる。前記突出部４０には外側壁３１は設けられておらず、側面は開放されているから、溝３０から排水される雨水等は突出部４０から流出することになる。前記突出部４０は、省略することが可能である。突出部４０を省略した場合には、溝３０内の雨水等は溝３０の両端部から直接流出することになる。
【００１２】
前記溝３０によって雨水等は上部デッキボード１５ａの上面に浸透することなく排水されるとともに、外側壁３１は上部デッキボード１５ａの上面よりも高く形成されているから載置した積載物の横ずれを防止し、さらにパレット同士を積み重ねたときに下段のパレットの外側壁３１内に上段のパレットの下部が嵌合することによってずれ落ちるのが防止される。
【００１３】
図５から図７は、他の実施形態における溝の断面形状を示す。図５はＶ字状断面の溝３１ａであり、図６はＵ字状断面の溝３１ｂであり、図７はテーパー面とした溝３１ｃである。上記溝３１ａ、３１ｂ、３１ｃは、いずれにおいても上部デッキボード１５ａの外周端縁部と拡張部３３、３５の上面を溝形状に合わせた連続面とすることによって形成されている。上記説明から明かのように、この発明における溝形状は任意に形成することができ、溝の底面が上部デッキボード１５ａの上面よりも低く、排水が可能であればよい。また、上記実施形態では四方差しパレットについて説明したが、二方差しパレットでもよい。
【００１４】
さらに、上記実施形態ではいずれも溝３０はコーナー部を除いて形成したが、上記実施形態に限定されるものではなく溝３０をコーナー部に形成してもよい。即ち、溝を形成する外側壁をコーナー部において切り欠くことなく連続して一体的に設けてもよい。このように、連続した一体的な外側壁によって溝を形成した場合には、溝からの排水のために溝の適所に溝の底面または外側壁に開口する複数の水抜き孔を設ければよい。
【００１５】
図８は、さらに他の実施形態を示す要部断面図である。上記実施形態はいずれも溝を形成する外側壁を、下部デッキボードの下面の外周端縁よりも外側に突出させて形成し、パレット同士を積み重ねることができるように構成したが、この実施形態では反対に、溝を形成する外側壁を上部デッキボードの外周端縁部に設け、下部成形部材１７を構成する下部デッキボード１７ａ及び桁部１１ｂの下端外側面を前記外側壁の内側に嵌合するように外側壁よりも内方に凹ませて形成してなる。図８に基づいて説明すると、上部デッキボード１５ａの外周端縁部の全周に亘って溝３０ａを形成し、さらに連続した外側壁３１ａを設けてなる。この構成においては、上部デッキボード１５ａの面積は拡張されることがない。
【００１６】
下部成形部材１７を構成する下部デッキボード１７ａ及び桁部１１ｂの下端部は、上部デッキボード１５ａ及び桁１１ａの外側面よりも内側方向に凹んでおり、パレット同士を積み重ねたとき、前記外側壁３１ａの内側に嵌合する嵌合部４２を構成している。前記嵌合部４２の外側面は、図８に示すようにほぼ垂直面であってもよいし、傾斜面であってもよい。外側壁３１ａを連続して一体的に形成した場合には、溝３０ａからの排水のために溝の適宜の箇所に外側壁の外面に開口する複数の水抜き孔４４を設ければよい。
【００１７】
尚、前記外側壁３１ａは、図１の実施形態と同様に、コーナー部において切り欠いてもよい。外側壁３１ａをコーナー部において切り欠いた場合には、前記水抜き孔４４を省略することができる。また、前記溝３０ａの形状は、図５、図６及び図７の実施形態の溝の形状を応用することができる。
【００１８】
図９はこの発明に係るパレットの利用例を示す説明用一部断面図である。パレット１０に樹脂シート４１を引き、その上に緩衝材として底板４３を載置し、前記底板４３の上に鉄線巻き鉄ボビン４５を並べる。さらに、セパレータ４７を介して鉄線巻き鉄ボビン４５を並べ、同様にして鉄線巻き鉄ボビン４５を複数段積み重ねる。その後、前記樹脂シート４１で鉄線巻き鉄ボビン４５の全体を包装し、最後にダンボール４９で被覆梱包する。ダンボール４９で被覆する際にはダンボール４９の下端部を溝３０内に嵌合固定する。
【００１９】
このように、湿気を防止しなければならない鉄線巻き鉄ボビンのような製品を保管運搬するには、積載物を保護するためにダンボールでカバーされることがあるが、溝３０内にダンボールの下端部を嵌合することによってダンボール及び積載物の横ずれを防止することができる。また、ダンボールの側面を伝って流れ落ちる雨水、水滴等は溝から排水されるから、上部デッキボード１５ａの上面に浸透することがない。
【００２０】
【発明の効果】
この発明にかかる合成樹脂製パレットによれば、上部デッキボードの外周端縁部に溝を形成するとともに、前記溝を形成する外側壁の高さを上部デッキボードの上面よりも高くしたから、外周部に位置する積載物の外側面を伝った雨水等は前記溝から排水され、パレットと積載物の間へ浸透するのが防止される。また、パレット同士を積み重ねた場合にも、上段のパレットの外側面を伝った雨水等は下段のパレットの溝から排水され、雨水等によってパレット同士が密着するのを防止する。さらに、溝を形成する外側壁によって載置した積載物の横ずれや上段のパレットのずれ落ちを防止することができる。
【図面の簡単な説明】
【図１】この発明に係るパレットの一例を示す説明用斜視図である。
【図２】フォーク差込口における拡大断面図である。
【図３】桁の部分における拡大断面図である。
【図４】同じく桁の部分における拡大断面図である。
【図５】溝の断面形状の他の実施形態を示す拡大断面図である。
【図６】同じく、溝の断面形状の他の実施形態を示す拡大断面図である。
【図７】同じく、溝の断面形状の他の実施形態を示す拡大断面図である。
【図８】他の実施形態のフォーク差込口における拡大断面図である。
【図９】この発明に係るパレットの利用例を示す説明用一部断面図である。
【符号の説明】
１０  合成樹脂製パレット
１１  桁
１１ａ  桁部
１１ｂ  桁部
１３  分割線
１５  上部成形部材
１５ａ  上部デッキボード
１７  下部成形部材
１７ａ  下部デッキボード
１９  フォーク差込口
２０  平滑板
２１  補強リブ
２２  側板
２３  平滑板
２５  補強リブ
２６  側板
３０、３０ａ  溝
３１、３１ａ  外側壁
３３、３５  拡張部
３７  略三角形補強リブ
３９  水抜き孔
４０  突出部
４２  嵌合部
４４  水抜き孔
【図１】
0004169819.tif 000002
【図２】
0004169819.tif 000003
【図３】
0004169819.tif 000004
【図４】
0004169819.tif 000005
【図５】
0004169819.tif 000006
【図６】
0004169819.tif 000007
【図７】
0004169819.tif 000008
【図８】
0004169819.tif 000009
【図９】
0004169819.tif 000010